(57)【要約】【課題】濾過膜装置において、膜ユニットを固定するための部品点数を少なくとともに、前記膜ユニットの固定作業を作業性の良好な所で行えるようにする。【解決手段】濾過膜装置１において、膜ユニット２を支持体３によって水平向きに支持する膜ユニットの支持構造であって、前記支持体３として第一支持体１１および第二支持体１２を備え、これら各支持体１１，１２は、前記膜ユニット２の外周側面を挟着支持し基台１３上に固定される第一縦向き支持柱１４，１５および第二縦向き支持柱１６，１７をそれぞれ備え、これら第一縦向き支持柱１４，１５および前記第二縦向き支持柱１６，１７の相互に対向する面のそれぞれには、前記膜ユニット２を嵌めて挟着する第一膜ユニット受部２０および第二膜ユニット受部２１が設けられていることを特徴とする。【選択図】図１
2008246396.tif 000002
【特許請求の範囲】
【請求項１】
濾過膜装置において、膜ユニットを支持体によって水平向きに支持する膜ユニットの支持構造であって、
前記支持体は、前記膜ユニットの外周側面を挟着支持し基台上に固定される少なくとも一対の縦向き支持柱を備え、この縦向き支持柱の相互に対向する面のそれぞれには、前記膜ユニットを嵌めて挟着する膜ユニット受部が設けられていることを特徴とする膜ユニットの支持構造。
【請求項２】
前記膜ユニット受部は、前記一対の縦向き支持柱の相互に対向する面のそれぞれに長手方向に所定の間隔をあけて複数設けられ、複数の前記膜ユニットが、それぞれ前記各膜ユニット受部に嵌められて挟着され上下方向に並んで支持されていることを特徴とする請求項１に記載の膜ユニットの支持構造。
【発明の詳細な説明】
【技術分野】
【０００１】
この発明は、液体に溶解しているたとえばイオンや分子或いは混入している不純物等を液体から取り除く膜エレメントをベッセル内に収容した膜ユニットを上下方向に複数備えている濾過膜装置において、前記膜ユニットを支持体によって支持する膜ユニットの支持構造に関する。
【背景技術】
【０００２】
液体に溶解しているたとえばイオンや分子あるいは混入している不純物などを液体から取り除く手段として、液体は透過させるが、液体内に溶解しているたとえばイオンや分子あるいは混入している不純物などを透過させない性質を持つ半透膜からなるスパイラル構造の膜エレメントをベッセル内に収容した膜ユニットが使用されている。
【０００３】
このような膜ユニットを上下に複数備えている濾過膜装置の従来の構造例を、図６を参照して説明する。この図６に示す濾過膜装置５０は、基枠５１の上に直方体状をした装置筐体５２が縦向きに立設されている。この装置筐体５２の一方の広面５３には、半透膜からなるスパイラル構造の膜エレメント（図示省略）を筒状のベッセル５４内に収容した構造の膜ユニット５５が、水平向きで上下に複数本（図６では、４本）平行に配置されている。これら各膜ユニット５５は、それぞれ長手方向の両端寄りの部分が、略Ｕ字形状の取付金具５６によって前記装置筐体５２に固定されている。
【０００４】
前記各膜ユニット５５にあっては、前記ベッセル５４の一端側に有する管状の被処理液供給口部５７から被処理液を供給し、前記膜エレメントを透過した処理液を前記膜エレメントの軸心部に配置した処理液収集管（図示省略）へ収集して前記ベッセル５４の他端側に有する管状の処理液導出口部５８から導出し、また前記膜エレメントを透過しなかった濃縮液を前記ベッセル５４の他端側に有する管状の濃縮液導出口部５９から導出する構造になっている（たとえば、特許文献１参照）。
【０００５】
前記膜ユニット５５についてさらに説明すると、この膜ユニット５５の長手方向の両端は、閉鎖蓋６０，６１でそれぞれ塞がれている。前記閉鎖蓋６０，６１のうち、被処理液供給側に取り付けられる閉鎖蓋６０には、前記被処理液供給口部５７が設けられている。一方、処理液導出側に取り付けられる閉鎖蓋６１には、前記処理液導出口部５８と前記濃縮液導出口部５９とが設けられている。
【０００６】
平行に配置された前記各膜ユニット５５は直列に接続されている。接続構造について具体的に説明すると、前記各膜ユニット５５にあっては、平行に配置され、隣り合う一方の膜ユニット５５と他方の膜ユニット５５とが互いに接続されている。さらに詳細には、前記一方の膜ユニット５５の被処理液供給口部５７と前記他方の膜ユニット５５の濃縮液導出口部５９とを向かい合わせにして、前記一方と他方の膜ユニット５５が平行に配置されている。そして、向かい合わせとなっている前記被処理液供給口部５７と前記濃縮液導出口部５９とが接続器具（図示省略）を用いて直結あるいは短い接続用配管（図示省略）を用いて接続されている。そして、まず一番下に配置された膜ユニット５５へ被処理液が供給され、この膜ユニット５５から導出された濃縮液が、被処理液としてその上に配置された膜ユニット５５へ供給される。そして、順次下側の膜ユニット５５から導出された濃縮液が被処理液として上側の膜ユニットへ供給される。一方、前記各膜ユニット５５の前記処理液導出口部５８からそれぞれ導出された処理液は、途中で合流し、給水対象の機器へ供給される。
【０００７】
一番下の膜ユニット５５へは、前記基台５２上に設置された給水ポンプ（図示省略）によって加圧された被処理液が供給されるようになっている。そして、前記各膜ユニット５５から導出され合流した後の処理液の流量が流量センサ（図示省略）によって検出され、その検出値に基づいて処理液の流量が一定になるように、インバータ（図示省略）によって前記給水ポンプの回転数が制御されるようになっている。
【特許文献１】特開２００６−２７２２８０号公報
【発明の開示】
【発明が解決しようとする課題】
【０００８】
ところで、前記濾過膜装置５０では、前記膜ユニット５５毎に前記取付け金具５６が必要になるため、前記取付金具５６の使用本数が増え、前記各膜ユニット５５を固定するための部品点数が多くなる問題点がある。また、上方の膜ユニット５５を前記装置筐体５２に固定する時には、固定箇所が高い位置になるため作業性が悪い問題点がある。
【０００９】
この発明が解決しようとする課題は、濾過膜装置において、膜ユニットを固定するための部品点数を少なくとともに、前記膜ユニットの固定作業を作業性の良好な所で行えるようにすることである。
【課題を解決するための手段】
【００１０】
この発明は、前記課題を解決するためになされたもので、請求項１に記載の発明は、濾過膜装置において、膜ユニットを支持体によって水平向きに支持する膜ユニットの支持構造であって、前記支持体は、前記膜ユニットの外周側面を挟着支持し基台上に固定される少なくとも一対の縦向き支持柱を備え、この縦向き支持柱の相互に対向する面のそれぞれには、前記膜ユニットを嵌めて挟着する膜ユニット受部が設けられていることを特徴とする。
【００１１】
さらに、請求項２に記載の発明は、請求項１に記載の前記膜ユニット受部は、前記一対の縦向き支持柱の相互に対向する面のそれぞれに長手方向に所定の間隔をあけて複数設けられ、複数の前記膜ユニットが、それぞれ前記各膜ユニット受部に嵌められて挟着され上下方向に並んで支持されていることを特徴とする。
【発明の効果】
【００１２】
請求項１に記載の発明によれば、前記膜ユニットは前記膜ユニット受部に挟着され、前記一対の縦向き支持柱で支持されているので、従来のような多数の取付金具が不要になり、このため前記膜ユニットを固定するための部品点数を少なくすることができる。また、この濾過膜装置では、前記一対の縦向き支持柱のうち、一方の縦向き支持柱を前記膜ユニット受部側を上向きにして寝かせておき、この膜ユニット受部の上に前記膜ユニットを構成するベッセルを載せ、このベッセルの上に他方の縦向き支持柱を前記膜ユニット受部側を下向きにし、対向する前記膜ユニット受部に前記ベッセルを挟着させて前記一対の縦向き支持柱で前記ベッセルを挟着支持させ、このようにして前記ベッセルを挟着支持させた前記一対の縦向き支持柱を前記基台に縦向きに立設することができて、前記膜ユニットの固定作業を作業性の良好な所で行うことができる。
【００１３】
請求項２に記載の発明によれば、前記膜ユニットを複数備えていても、これら各膜ユニットは、前記一対の縦向き支持柱において前記各膜ユニット受部に挟着されて支持されているので、従来のような多数の取付金具が不要になり、このため前記各膜ユニットを固定するための部品点数を少なくすることができる。また、この濾過膜装置では、前記一対の縦向き支持柱のうち、一方の縦向き支持柱を前記各膜ユニット受部側を上向きにして寝かせておき、これら各膜ユニット受部の上に前記各膜ユニットを構成するベッセルをそれぞれ載せ、これら各ベッセルの上に他方の縦向き支持柱を前記各膜ユニット受部側を下向きにし、対向する前記各膜ユニット受部に前記各ベッセルを挟着させた後、このようにして前記各ベッセルを挟着支持させた前記一対の縦向き支持柱を前記基台に縦向きに立設することができて、前記各膜ユニットの固定作業を作業性のよいところで行うことができる。
【発明を実施するための最良の形態】
【００１４】
つぎに、この発明の実施の形態について図面に基づいて詳細に説明する。図１は、本発明に係る膜ユニットの支持構造を有する濾過膜装置を示す斜視図、図２は、図１に示す濾過膜装置の平面図、図３は、図１に示す濾過膜装置において平行に配置され直列に接続された膜ユニットを示す図、図４は、膜ユニットを構成するベッセルを縦向き支持柱で挟着支持するときの組立過程を示す図、図５は、図１に示す濾過膜装置において、ベッセルから膜エレメントを引き出した状態を示す斜視図である。
【００１５】
本発明に係る膜ユニットの支持構造を有する濾過膜装置１では、膜ユニット２が支持体３によって水平向きに支持されている。この実施形態では、前記膜ユニット２として、第一膜ユニット４，第二膜ユニット５，第三膜ユニット６，第四膜ユニット７の４つの膜ユニットを有している。また、前記濾過膜装置１は、後述する第一支持体１１側に、給水ポンプ８およびインバータボックス９を備えている。さらに、前記濾過膜装置１は、後述する第二支持体１２側に、これら各膜ユニット４，５，６，７の一端部を共通に覆う開閉扉１０を備えている。
【００１６】
この実施形態では、前記支持体３として、第一支持体１１と第二支持体１２とを備え、これら各支持体１１，１２により前記各膜ユニット４，５，６，７の両端近くの外周側面が支持されている。前記第一支持体１１は、基台１３上に固定される一対の第一縦向き支持柱１４，１５を有し、また前記第二支持体１２は、前記基台１３上に固定される一対の第二縦向き支持柱１６，１７を備えている。そして、前記第一縦向き支持柱１４，１５および前記第二縦向き支持柱１６，１７により、前記各膜ユニット４，５，６，７の外周側面が挟着支持されている。
【００１７】
前記第一縦向き支持柱１４，１５および前記第二縦向き支持柱１６，１７は、一面が開口した箱型形状となっており、開口部が相互に向かい合うようにして前記基台１３上に固定されている。また、前記第一縦向き支持柱１４，１５は、３本の第一連結ボルト１８，１８，１８によって連結され、前記第二縦向き支持柱１６，１７は、３本の第二連結ボルト１９，１９，１９によって連結されている。そして、前記第一縦向き支持柱１４，１５の相互に対向する面のそれぞれには、前記各膜ユニット４，５，６，７をそれぞれ嵌めて挟着する第一膜ユニット受部２０が、長手方向に所定の間隔，具体的には、隣り合う前記各膜ユニット４，５，６，７同士の間に所定の間隔があくようにして４つ設けられている。この第一膜ユニット受部２０は、この実施形態では円弧状の凹部によって構成されている。また、前記第二縦向き支持柱１６，１７の相互に対向する面のそれぞれにも、前記各膜ユニット４，５，６，７をそれぞれ嵌めて挟着する第二膜ユニット受部２１が前記第一膜ユニット受部２０と同様にして設けられている。
【００１８】
前記各支持体１１，１２についてさらに詳しく説明すると、前記第一縦向き支持柱１４，１５は、第一固定ボルト２２によって前記基台１３に固定され、前記第二縦向き支持柱１６，１７は、第二固定ボルト２３によって前記基台１３に固定されている。そして、前記第一縦向き支持柱１４，１５には、略Ｌ字形状の第一ベッセル抑え部材２４が取り付けられている。また、前記第二縦向き支持柱１６，１７には、前記第一ベッセル抑え部材２４と同一形状の第二ベッセル抑え部材２５が取り付けられている。前記第一ベッセル抑え部材２４は、前記第一連結ボルト１８，１８，１８を、前記第一ベッセル抑え部材２４および前記第一縦向き支持柱１４，１５に貫通させ、外側から第一ナット２６，２６，２６を締め付けることにより、前記第一縦向き支持柱１４，１５に取り付けられている。また前記第二ベッセル抑え部材２５は、前記第二連結ボルト１９，１９，１９を、前記第二ベッセル抑え部材２５および前記第二縦向き支持柱１６，１７に貫通させ、外側から第二ナット２７，２７，２７を締め付けることにより、前記第二縦向き支持柱１６，１７に取り付けられている。前記各ベッセル抑え部材２４，２５は、前記各支持体１１，１２によって支持された前記膜ユニット２を構成する筒状のベッセル３６（後述）の開口端部と当接するように取り付けられており、これによりこのベッセル３６へ膜エレメント３７（後述）を出し入れするとき、前記ベッセル３６が移動しないようになっている。ここで、前記各ベッセル抑え部材２４，２５は、前記閉鎖蓋３８，３９の取り外しおよび取り付けや、前記ベッセル３６への前記膜エレメント３７の出し入れの妨げとならず、なおかつこの膜エレメント３７の出し入れの際に前記ベッセル３６が移動しない程度に、前記ベッセル３６の開口端部と当接している。ちなみに、ここでは図示しないが、前記各ベッセル抑え部材２４，２５は、前記閉鎖蓋３８，３９の取り外しおよび取り付けや、前記ベッセル３６への前記膜エレメント３７の出し入れの妨げとならないように、前記ベッセル３６の開口端部に沿って切り欠かれていてもよい。また、前記各ベッセル抑え部材２４，２５の前記第一縦向き支持柱１４，１５または前記第二縦向き支持柱１６，１７への取り付けにあっては、前記第一連結ボルト１８，１８，１８および前記第二連結ボルト１９，１９，１９
によるのではなく、別のボルト（図示省略）によって前記第一縦向き支持柱１４，１５および前記第二縦向き支持柱１６，１７に取り付けられていてもよい。
【００１９】
また、前記第一支持体１１にあっては、前記第一縦向き支持柱１４，１５の間に介在する第一梁部材２８を備えている。この第一梁部材２８は、前記第一縦向き支持柱１４，１５内へこれらの開口部から挿入され、前記第一縦向き支持柱１４，１５の上端と第一ボルト２９で固定されている。さらに、前記第二支持体１２にあっては、前記第二縦向き支持柱１６，１７の間に介在する第二梁部材３０を備えている。この第二梁部材３０は、前記第二縦向き支持柱１６，１７の上端と第二ボルト３１（図４参照）で固定されている。前記各梁部材２８，３０には、装置の組立てのとき（後述）に、前記膜ユニット２を支持した状態の前記各支持体１１，１２を吊り上げるための第一アイボルト３２および第二アイボルト３３が取り付けられている。前記各アイボルト３２，３３は、前記各梁部材２８，３０にそれぞれ設けられた第一取付孔３４および第二取付孔３５（それぞれ図４参照）に挿入され、ナット（図示省略）を締め付けることにより前記各梁部材２８，３０に取り付けられている。
【００２０】
ここで、前記各梁部材２８，３０の長さは、前記第一縦向き支持柱１４，１５の間隔および前記第二縦向き支持柱１６，１７によって前記膜ユニット２を挟着支持することができる長さに設定されている。
【００２１】
前記膜ユニット２は、特許文献１に記載されたものと同一の構成となっており、筒状のベッセル３６内にスパイラル構造の膜エレメント３７（図５参照）が収容され、前記ベッセル３６の両端開口部に閉鎖蓋３８，３９が着脱可能に取り付けられている。
【００２２】
前記膜ユニット２にあっては、前記閉鎖蓋３８，３９のうち、被処理液供給側に取り付けられる前記閉鎖蓋３８には、図３に示すように管状に構成される被処理液供給口部４０（図１においては図示省略）が設けられている。
【００２３】
また、処理液導出側に取り付けられる前記閉鎖蓋３９には、管状に構成される処理液導出口部４１と濃縮液導出口部４２とが設けられている（図１，図２においては、それぞれ図示省略）。
【００２４】
このように構成された前記各膜ユニット４，５，６，７は、直列に接続されている。前記各膜ユニット４，５，６，７の接続構造について説明する。前記各膜ユニット４，５，６，７にあっては、平行に配置された隣り合う一方の膜ユニット２と他方の膜ユニット２とが互いに接続されている。具体的には、前記一方の膜ユニット２の被処理液供給口部４０と前記他方の膜ユニット２の濃縮液導出口部４２とを向かい合わせにして、前記一方と他方の膜ユニット２が平行に配置されている。そして、向かい合わせとなっている前記被処理液供給口部４０と前記濃縮液導出口部４２とが接続器具（図示省略）を用いて直結あるいは短い接続用配管（図示省略）を用いて接続されている。
【００２５】
前記各膜ユニット４，５，６，７の前記処理液導出口部４１には、それぞれ処理液配管（図示省略）が接続され、これら各処理液配管は途中で合流している。前記各膜ユニット４，５，６，７から導出され合流した処理液の流量は、流量センサ（図示省略）によって検出されるようになっている。
【００２６】
前記給水ポンプ８は、前記膜ユニット２へ給水を加圧して供給するものであり、この実施形態では一番下に配置された前記第一膜ユニット４の被処理液供給口部４０と接続されている（配管は図示省略）。そして、前記給水ポンプ８から前記第一膜ユニット４へ供給された被処理液は、順次下側から上側の膜ユニット２へ，すなわち前記第二膜ユニット５，前記第三膜ユニット６および前記第四膜ユニット７の順で供給されるようになっている。
【００２７】
前記インバータボックス９は、前記第一縦向き支持柱１４，１５のそれぞれに、コの字形状の取付具４３，４３によって取り付けられている。前記インバータボックス９内には、前記給水ポンプ８と接続された（接続ケーブルなどは図示省略）インバータ（図示省略）が収容されている。そして、前記流量センサで検出された流量に基づいて、前記各膜ユニット４，５，６，７から導出され合流した処理液の流量が目標流量になるように、前記インバータからの出力周波数によって前記給水ポンプ８の回転数が制御されるようになっている。
【００２８】
前記開閉扉１０の内側には、前記インバータと接続された（接続ケーブルなどは図示省略）制御用基盤（図示省略）が固定されている。そして、前記開閉扉１０の上部は、前記第二縦向き支持柱１６，１７の上端に固定具４４によって固定された固定板４５に扉取付板４６を介して取り付けられている。この扉取付板４６は、一端側が前記固定板４５に固定されており、他端側において前記開閉扉１０の上部が開閉自在に枢支されている。一方、前記開閉扉１０の下部は、前記基台１３に開閉自在に枢支されている。
【００２９】
ここで、前記固定板４３には、前記第二アイボルト３３を貫通させるための孔（図示省略）が設けられており、前記アイボルト３３は前記固定板４３を貫通し、この固定板４３上に突出した状態で前記第二梁部材３０に取り付けられている。
【００３０】
さて、このように構成された前記濾過膜装置１の組み立て作業について説明する。前記濾過膜装置１にあっては、前記第一支持体１１および前記第二支持体１２を組み立てて前記膜ユニット２を支持させ、これら第一支持体１１および第二支持体１２を前記基台１３上に固定する。具体的には、図４に示すように、まず一方の第一縦向き支持柱１４および一方の第二縦向き支持柱１６を、開口部側，すなわち前記各膜ユニット受部２０，２１側を上向きにして所定間隔をあけて寝かせる。寝かせた前記各縦向き支持柱１４，１６の間隔は、前記膜ユニット２の両端近くの外周側面を支持できる間隔になっている。このとき、前記各縦向き支持柱１４，１６には、それぞれ前記各ベッセル抑え部材２４，２５を前記各連結ボルト１８，１９と前記各ナット２６，２７とによって取り付けておく。これにより、前記各縦向き支持柱１４，１５の開口部側には、それぞれ前記各連結ボルト１８，１９が突出した状態になる。
【００３１】
つぎに、前記各膜ユニット受部２０，２１の上に、前記各膜ユニット４，５，６，７のベッセル３６をそれぞれ嵌めて載せる。このとき、前記各ベッセル３６内は、前記膜エレメント３７を収容していない状態であり、前記閉鎖蓋３８，３９も取り付けていない状態である。また、前記各ベッセル３６の開口端部に、前記各ベッセル抑え部材２４，２５が当接した状態にする。そして、前記各ベッセル３６の上に、他方の第一縦向き支持柱１５および他方の第二縦向き支持柱１７を、前記各膜ユニット受部２０，２１側を下向きにしてこれら各膜ユニット受部２０，２１に前記各ベッセル３６を嵌めるようにして載せる。このとき、前記第一縦向き支持柱１４と前記第一縦向き支持柱１５の間に、これら第一縦向き支持柱１４，１５の空洞部に入った状態で前記第一梁部材２８を挟む。また、前記第二縦向き支持柱１６と前記第二縦向き支持柱１７の間にこれら第二縦向き支持柱１６，１７の空洞部に入った状態で前記第二梁部材３０を挟む。
【００３２】
前記第一縦向き支持柱１５を前記各ベッセル３６の上に載せるときには、前記第一縦向き支持柱１４の開口部側に突出した状態で前記第一縦向き支持柱１４と前記第一ベッセル抑え部材２４とを取り付けている前記第一連結ボルト１８を貫通させるようにして前記第一縦向き支持柱１５を前記各ベッセル３６の上に載せる。また、前記第二縦向き支持柱１７を前記各ベッセル３６の上に載せるときには、前記第二縦向き支持柱１６と前記第二ベッセル抑え部材２５とを取り付け、前記第二縦向き支持柱１６の開口部側に突出する前記第二連結ボルト１９を貫通させるようにして前記第二縦向き支持柱１７を前記各ベッセル３６の上に載せる。
【００３３】
つぎに、前記第一縦向き支持柱１５に、別の前記第一ベッセル抑え部材２４を、前記第一連結ボルト１８を貫通させるようにしてあてがうとともに、前記第二縦向き支持柱１７に、別の前記第二ベッセル抑え部材２５を、前記第二連結ボルト１９を貫通させるようにしてあてがう。このとき、前記各ベッセル抑え部材２４，２５は、前記前記ベッセル３６の開口端部に当接した状態にする。そして、前記第一ベッセル抑え部材２４上に突出する前記第一連結ボルト１８に、前記第一ナット２６を締め付け、また前記第二ベッセル抑え部材２５上に突出する前記第二連結ボルト１９に、前記第二ナット２７を締め付ける。これにより、前記各膜ユニット４，５，６，７が前記第一縦向き支持柱１４，１５および前記第二縦向き支持柱１６，１７に挟着支持された状態になる。
【００３４】
また、前記第一縦向き支持柱１４，１５の間で挟まれた前記第一梁部材２８を、前記第一ボルト２９によって前記第一縦向き支持柱１４，１５の上端に固定する。さらに、前記第二縦向き支持柱１６，１７の間で挟まれた前記第二梁部材３０を、前記第二ボルト３１によって前記第二縦向き支持柱１６，１７の上端に固定する。
【００３５】
つぎに、前記第一梁部材２８に、前記第一アイボルト３２（図４においては図示省略）を取り付ける。また、前記扉取付板４６が取り付けられた前記固定板４５（図４においてはそれぞれ図示省略）を前記第二縦向き支持柱１６，１７の上端に前記固定具４４（図４においては図示省略）によって固定する。そして、前記第二アイボルト３３（図４においては図示省略）を前記固定板４５を貫通するようにして前記第二梁部材３０に取り付ける。
【００３６】
つぎに、前記第一縦向き支持柱１４，１５および前記第二縦向き支持柱１６，１７によって前記各膜ユニット４，５，６，７を挟着支持し、一体になった前記各支持体１１，１２を、前記基台１３に縦向きに立設する。具体的には、前記各アイボルト３２，３３に、吊り上げ用の装置のフックを引っ掛けて、前記各膜ユニット４，５，６，７を支持する前記各支持体１１，１２を吊り上げ、これを前記基台１３上に載置する。そして、前記第一固定ボルト２２により前記第一縦向き支持柱１４，１５を前記基台１３に固定するとともに、前記第二固定ボルト２３により前記第二縦向き支持柱１６，１７を前記基台１３に固定する。
【００３７】
このようにして前記基台１３に前記各支持体１１，１２を固定した後、前記各ベッセル３６における前記第一縦向き支持柱１４，１５側の端部に、それぞれ前記閉鎖蓋３８または前記閉鎖蓋３９のいずれかを取り付ける。そして、前記各ベッセル３６内に、前記第二縦向き支持柱１６，１７側の開口部から、それぞれ前記膜エレメント３７を挿入する。そして、前記膜エレメント３７が挿入された前記ベッセル３６の前記第二縦向き支持柱１６，１７側の端部に、前記閉鎖蓋３８または前記閉鎖蓋３９を取り付ける。その後、向かい合わせとなっている前記被処理液供給口部４０と前記濃縮液導出口部４２とを前記接続器具（図示省略）を用いて直結あるいは前記接続用配管（図示省略）を用いて接続する。また、前記各処理液導出口部４１に前記処理液配管（図示省略）を接続する。
【００３８】
このようにして、前記膜ユニット２を組立て、前記各膜ユニット２同士の接続が完了した後、前記開閉扉１０の取付けを行う。また、前記インバータボックス９を、前記第一縦向き支持柱１４，１５に前記取付具４３，４３によって取り付ける。さらに、前記給水ポンプ８を前記基台１３に固定する。
【００３９】
以上のように、前記基台１３への前記膜ユニット２の固定作業にあたっては、前記第一縦向き支持柱１４，１５および前記第二縦向き支持柱１６，１７を寝かせた状態でこれらによって前記膜ユニット２を挟着支持させてから、前記第一縦向き支持柱１４，１５および前記第二縦向き支持柱１６，１７を前記基台１３に縦向きに立設することができて、前記膜ユニット２の固定作業を作業性の良好な所で行うことができる。
【００４０】
つぎに、以上のようにして組み立てられた前記濾過膜装置１における前記膜エレメント３７の交換について図５を参照して説明する。前記濾過膜装置１において、前記膜エレメント３７は、膜の劣化などが原因で交換が必要になる。この場合、前記開閉扉１０を開けた状態で、前記膜エレメント３７における前記開閉扉１０側の前記閉鎖蓋３８または前記閉鎖蓋３９を外し、前記ベッセル３６内から前記膜エレメント３７を引っ張り出す。そして、新しい膜エレメント３７を前記ベッセル３６内に挿入した後、再び前記閉鎖蓋３８または前記閉鎖蓋３９を前記ベッセル３６に取り付け、前記開閉扉１０を閉じる。
【００４１】
以上説明した前記濾過膜装置１における膜ユニットの支持構造によれば、前記膜ユニット２の固定作業を作業性の良好な所で行うことができるとともに、前記膜ユニット２は、前記各膜ユニット受部２０，２１に挟着支持され、前記第一縦向き支持柱１４，１５および前記第二縦向き支持柱１６，１７で支持されているので、従来のような多数の取付金具が不要になり、このため前記膜ユニット２を固定するための部品点数を少なくすることができる。
【００４２】
以上、この発明を前記実施形態によって説明したが、この発明はその主旨を変更しない範囲で種々変更実施可能なことはもちろんである。たとえば、前記実施形態では、２対の縦向き支持柱（前記第一縦向き支持柱１４，１５および前記第二縦向き支持柱１６，１７）を用いた例について説明したが、この発明はこれに限定されるものではない。たとえば、２対以上であってもよく、また１対の縦向き支持柱をそれぞれ幅広とし、この１対の縦向き支持柱で前記膜ユニット２の長手方向の中央側を挟着支持させてもよい。
【００４３】
また、前記膜ユニット２を４本使用した例で示したが、前記膜ユニット２は１本以上であれば必要本数でよい。
【図面の簡単な説明】
【００４４】
【図１】本発明に係る膜ユニットの支持構造を有する濾過膜装置を示す斜視図である。
【図２】図１に示す濾過膜装置の平面図である。
【図３】図１に示す濾過膜装置において平行に配置され直列に接続された膜ユニットを示す図である。
【図４】膜ユニットを構成するベッセルを縦向き支持柱で挟着支持するときの組立過程を示す図である。
【図５】図１に示す濾過膜装置において、ベッセルから膜エレメントを引き出した状態を示す斜視図である。
【図６】従来の濾過膜装置の斜視図である。
【符号の説明】
【００４５】
１  濾過膜装置
２  膜ユニット
３  支持体
１１  第一支持体
１２  第二支持体
１３  基台
１４，１５  第一縦向き支持柱
１６，１７  第二縦向き支持柱
２０  第一膜ユニット受部
２１  第二膜ユニット受部
【図１】
2008246396.tif 000003
【図２】
2008246396.tif 000004
【図３】
2008246396.tif 000005
【図４】
2008246396.tif 000006
【図５】
2008246396.tif 000007
【図６】
2008246396.tif 000008